(57)【要約】【課題】脚部の内股側の付け根部分における盛り上がりを抑制して足を綺麗に見せることができるズボンを得る。【解決手段】  スキニーパンツ１０において、一対の脚部１２の内股側の付け根には、股ぐり１７を挟むように形成された一対の切替３３が備えられ、各切替３３は、円弧状をなし対向方向で互いに離れるように凹となる第１端部２７ａ及び第２端部２７ｂが縫合されてなる。【選択図】      図３
2020180401.tif 000002
【特許請求の範囲】
【請求項１】
一対の脚部の内股側の付け根には、股ぐりを挟むように形成された一対の切替が備えられ、
前記各切替は、円弧状をなし対向方向で互いに離れるように凹となる第１端部及び第２端部が縫合されてなることを特徴とするズボン。
【請求項２】
前記一対の切替は、前記股ぐり側に凸となるように弧状をなしていることを特徴とする請求項１に記載のズボン。
【請求項３】
前記ズボンは、前身頃と後身頃と、前記前身頃と前記後身頃の内股側との間に配置される股部とを有し、前記股部に前記切替が形成されている請求項１又は２に記載のズボン。
【請求項４】
前記股部には、前記股ぐり側に配置される第１内股部と、前記第１内股部よりも裾側に配置される第２内股部とが設けられ、
前記第１端部は、前記第１内股部のうち前記第２内股部の側の端縁が前記第２内股部から離れるように凹状に形成された部位であり、
前記第２端部は、前記第２内股部のうち前記第１内股部の側の端縁が前記第１内股部から離れるように凹状に形成された部位であることを特徴とする請求項３に記載のズボン。
【請求項５】
前記各切替と前記股ぐりとの間の寸法は、１〜３ｃｍであることを特徴とする請求項１乃至４のいずれか１項に記載のズボン。
【請求項６】
前記ズボンは伸縮性素材よりなることを特徴とする請求項１乃至５のいずれか１項に記載のズボン。
【発明の詳細な説明】
【技術分野】
【０００１】
本発明は、ズボンに関する。
【背景技術】
【０００２】
ズボンは、股上部と一対の脚部とを有し、一対の前身頃と一対の後身頃とが内股側と脇側とで縫い合わされて形成されている。ズボンの中には、脚を細く長く見せる効果を狙って、着用時に身体の脚にフィットして脚に沿うようなラインが形成される脚部を有する細身のズボンが知られている（例えば、特許文献１参照）。
【先行技術文献】
【特許文献】
【０００３】
【特許文献１】再表２０１５／１５１９４０号公報
【発明の概要】
【発明が解決しようとする課題】
【０００４】
細身のズボンでは、脚部の内股側の付け根部分に盛り上がり生じ、脚を太く見せてしまう問題がある。
【０００５】
本発明は、上記事情に鑑みてなされたものであり、脚部の内股側の付け根部分における盛り上がりを抑制して足を綺麗に見せることができるズボンを得ることを目的とする。
【課題を解決するための手段】
【０００６】
本発明者は、かかる目的を達成するために鋭意検討した結果、ズボンを着用したとき脚部の内股側の付け根部分で生地が一部余り、その余ってしまった生地の部分に贅肉が入り込んで盛り上がりが生じてしまうことが原因であると突き止め、以下の発明に到達した。
【０００７】
すなわち、本発明のズボンは、
一対の脚部の内股側の付け根には、股ぐりを挟むように形成された一対の切替が備えられ、
前記各切替は、円弧状をなし対向方向で互いに離れるように凹となる第１端部及び第２端部が縫合されてなることを特徴とする。
【０００８】
なお、本発明におけるズボンとは、着用者の両脚を別々に覆う一対の脚部を備えた衣類のことをいい、パンツ、スラックス、ボトム（ボトムス）等とも呼ばれる。ズボンの着用対象は、男性、女性を問わない。
【発明の効果】
【０００９】
本発明によれば、脚部の内股側の付け根部分に、互いに反対側へ凹状に形成されて相対向する端部同士が縫合されてなる切替が設けられている。すなわち、切替では生地が方錐状に除去されたこととなるので、脚部の内股側の付け根部分に生じていた生地の余りがなくなった。これにより、ズボン着用時に生地が余ることによって生じていた盛り上がりを抑制することができ、脚を綺麗に見せることができる。
【図面の簡単な説明】
【００１０】
【図１】膝下部分を省略したスキニーパンツを示す斜視図。
【図２】膝下部分を省略したスキニーパンツの正面図。
【図３】図２を下側から見上げた状態のスキニーパンツを示す斜視図。
【図４】スキニーパンツの脚部を開いて股下側から見た股下部分の平面図。
【図５】縫合前の股下部分を示す平面図。
【図６】変形例における縫合前の左側股下部分を示す平面図。
【図７】変形例におけるスキニーパンツの脚部を開いて股下側から見た股下部分の平面図。
【発明を実施するための形態】
【００１１】
以下、本発明を具体化した一実施の形態について、図面を参照しながら説明する。本実施の形態では、ズボンとしてスキニーパンツに具体化されている。
【００１２】
スキニーパンツ１０は伸縮性素材により形成され、図１及び図２に示すように、股上部１１と、一対の脚部１２とを有している。股上部１１には、一般的なズボンが有する前ポケット１３、前立て部１４、後ポケット（図示略）、ベルト通し（図示略）等の各部材が設けられている。各脚部１２は細身をなし、着用者の身体の脚にフィットするように形成されている。各脚部１２の太もも周りの内側は内股１５にあたる。
【００１３】
股上部１１及び一対の脚部１２は、左右の前身頃２１，２２と、左右の後身頃２３，２４と、左右の内股下２５，２６と、ウエストベルト２７とがそれぞれ縫合されて形成されている。
【００１４】
左右の前身頃２１，２２は、前中心において縫合され、その前中心には前立て部１４が形成されている。前立て部１４には、当該前立て部１４を開閉するために、ボタンやファスナー等の開閉用部材（図示略）が設けられている。左右の後身頃２３，２４は後中心で縫合されている。
【００１５】
縫合された左右の前身頃２１，２２及び後身頃２３，２４は、左右の脇側でそれぞれ縫合されている。ウエストベルト２７は、左右の前身頃２１，２２及び左右の後身頃２３，２４の上端部において、ウエストの周方向に沿って縫合されている。なお、ここでの左右とは、スキニーパンツ１０を着用した着用者を基準とする左右を意味するため、図示された状態における左右とは逆となっている。
【００１６】
左右の内股下２５，２６は、一対の脚部１２の内股側に設けられている。右内股下２５は、右前身頃２１と右後身頃２３との間に設けられ、右前身頃２１の内股側と右後身頃２３の内股側がそれぞれ右内股下２５と縫合されている。左内股下２６は、左前身頃２２と左後身頃２４との間に設けられ、左前身頃２２の内股側と左後身頃２４の内股側がそれぞれ左内股下２６と縫合されている。左右の内股下２５，２６は、前中心から後中心に至るライン上で縫合されている。前身頃２１，２２又は後身頃２３，２４と内股下２５，２６との縫製ライン３１，３２が、内股１５から裾に至るまで延びるように形成されている。
【００１７】
図１に示すように、左右の前身頃２１，２２の前中心から、左右の内股下２５，２６の縫合部分を通って、左右の後身頃２３，２４の後中心に至る縫合線が股ぐり１７となる。左右の内股下２５，２６は、股ぐり１７から各脚部１２の裾に至るまで、内股１５の下方に延びている。
【００１８】
図３に示すように、左右の内股下２５，２６は、それぞれ第１内股下２５ａ，２６ａと、第２内股下２５ｂ，２６ｂとが縫合されることによって形成されている。第１内股下２５ａ，２６ａは股ぐり１７の側に、第２内股下２５ｂ，２６ｂは裾側に設けられている。第１内股下２５ａ，２６ａは第１内股部に相当し、第２内股下２５ｂ，２６ｂは第２内股部に相当する。第１内股下２５ａ，２６ａと第２内股下２５ｂ，２６ｂとの境界部には、切替３３が設けられている。本実施形態では、前身頃２１，２２と後身頃２３，２４との間に配置された第１内股下２５ａ，２６ａ及び第２内股下２５ｂ，２６ｂの膝上領域が股部に相当する。
【００１９】
切替３３は、左右の脚部１２のそれぞれの付け根に沿って設けられている。図４にも示すように、切替３３は、股ぐり１７の側へ凸となるように弧状をなしている。切替３３における股ぐり１７に最も近付いた部位、つまり前後方向の中央部における円弧の頂点部分と、股ぐり１７との間の寸法Ｌ１は１ｃｍ〜６ｃｍの範囲（例えば１．５ｃｍ）に設定され、特に１〜３ｃｍの範囲内であることが特に好ましい。切替３３が延びる方向の両端のうち、前身頃２１，２２の側となる前端と、股ぐり１７との間の寸法Ｌ２は、１．５ｃｍ〜８ｃｍの範囲（例えば２ｃｍ）に設定されている。後身頃２３，２４の側となる後端と股ぐり１７との間の寸法Ｌ３は、１．５ｃｍ〜８ｃｍの範囲（例えば２ｃｍ）に設定されている。
【００２０】
次に、上記各切替３３は、次の手法により縫製されて形成されている。
【００２１】
図５に示すように、前身頃２１，２２や後身頃２３，２４と縫合されるよりも前のパーツとしての第１内股下２５ａ，２６ａにおいて、その裾側、つまり第２内股下２５ｂ，２６ｂの側の端縁２７ａは、股ぐり１７の側へ凹状をなすように形成されている。一方、同じくパーツとしての第２内股下２５ｂ，２６ｂにおいて、その股ぐり１７の側、つまり第１内股下２５ａ，２６ａの側の端縁２７ｂは、裾側へ凹状をなすように形成されている。切替３３は、この端縁２７ａ，２７ｂ同士が縫合されることによって形成されている。縫合においては、非伸縮性の縫製糸が用いられる。
【００２２】
一方、パーツとしての第１内股下２５ａ，２６ａにおいて、前記端縁２７ａとは反対側となる股ぐり１７の側の端縁２９ａ，２９ｂは、曲線をなすように形成されている。第１内股下２５ａ，２６ａの端縁２９ａ，２９ｂ同士が縫合されることにより、股ぐり１７が形成される。この端縁２９ａ，２９ｂが形成する曲線は、内股下２５，２６が設けられない従前の構成において、前身頃２１，２２及び後身頃２３，２４によって股ぐり１７を形成する部分が有する曲線と同様の曲線形状となっている。
【００２３】
なお、第１内股下２５ａ，２６ａの裾側の端縁２７ａは第１端部に相当し、第２内股下２５ｂ，２６ｂの股ぐり１７の側の端縁２７ｂは第２端部に相当する。
【００２４】
このように、第１内股下２５ａ，２６ａ及び第２内股下２５ｂ，２６ｂのそれぞれには、互いに反対側へ凹状をなして相対向する端縁２７ａ，２７ｂが形成され、その両者を縫合して切替３３が形成されている。これにより、端縁２７ａ，２７ｂが凹状をなす分だけ、内股１５側の脚部１２の付け根部分に生じていた生地の余裕（余り）が除去される。図３に示すように、股ぐり１７から内股１５にかけて、切替３３が延びる方向に持ち上げられたようなラインが形成され、股ぐり１７の直下には空間３４が形成される。
【００２５】
以上説明した本実施形態のスキニーパンツ１０によれば、次のような作用効果が得られる。
【００２６】
（１）左右の脚部１２のそれぞれの付け根部分には、当該付け根に沿うように、互いに反対側へ凹状をなして相対向する端縁２７ａ，２７ｂ同士が縫合されてなる切替３３が設けられている。そのため、脚部１２の内股１５側の付け根部分における生地の余裕分が除去され、ズボン着用時には、生地の余裕があることで生じていた内股１５側の付け根部分で肉や脂肪（贅肉）の盛り上がりを抑制することができる。これにより、図２及び図３に示すように、着用時には、股ぐり１７から脚部１２の付け根部分を経て内股１５に至るラインであって、脚部１２の付け根部分が切替３３の延びる方向に持ち上げられたようなラインが形成され、股ぐり１７の直下には空間３４が形成される。このラインや空間３４によって、スキニーパンツ１０を着用した脚のラインはその付け根に至るまで見られることとなり、脚をより細く長く、綺麗に見せることができる。
【００２７】
（２）スキニーパンツ１０は伸縮性生地によって形成され、身体のラインに生地がよりフィットするため、脚の付け根部分に生地の余裕ができると、それによって形成される贅肉の盛り上がりは一層強調される。その点、本実施形態のスキニーパンツ１０は、前述したように、付け根部分における生地の余裕が除去されて肉や脂肪の盛り上がりが抑制されたり、脚の付け根に至るまでのラインが形成されたりすることによる美脚効果を一層顕著に見せることができる。
【００２８】
（３）前身頃２１，２２の内股側と後身頃２３，２４の内股側との間に内股下２５，２６が設けられ、その内股下２５，２６は、第１内股下２５ａ，２６ａと第２内股下２５ｂ，２６ｂとで形成されている。第１内股下２５ａ，２６ａの裾側の端縁２７ａは、股ぐり１７の側に凹状をなすように形成され、第２内股下２５ｂ，２６ｂの股ぐり１７の側の端縁２７ｂは、裾側に凹状をなすように形成され、両端縁２７ａ，２７ｂが縫合されて、切替３３が形成されている。
【００２９】
内股下２５，２６が設けられない構成において、脚部１２の内股１５側の付け根部分の生地を紡錘形状に除去し、互いに凹状をなす端縁２７ａ，２７ｂ同士を縫合して切替３３を形成するとすれば、切除部分の両端部の強度を確保するための縫製上の処理が必要となり、手間がかかる。この点、本実施形態のスキニーパンツ１０は、２つに分割された内股下２５，２６を内股側に介在させ、端縁２７ａ，２７ｂ同士を縫合し、かつ前身頃２１，２２及び後身頃２３，２４と縫合して切替３３を形成している。このような構成であれば、複数のパーツを縫合するという縫製処理だけで、切替３３の両端部が縫製されるため、強度が確保される。
【００３０】
また、内股側に内股下２５，２６が設けられることにより、前身頃２１，２２又は後身頃２３，２４と内股下２５，２６との縫製ライン３１が、図２に示すように、スキニーパンツ１０の正面に現れる。同様に、背面側にも縫製ライン３２が現れる。縫製ライン３１，３２は、股ぐり１７から裾に至るまで延びているため、それによって脚を長く見せる視覚的効果を得ることができる。これにより、脚をより綺麗に見せることができる。
【００３１】
（４）第１内股下２５ａ，２６ａの端縁２７ａと、第２内股下２５ｂ，２６ｂの端縁２７ｂとが互いに逆側へ凹状をなすように形成され、その両者が縫合されて切替３３が形成されている。そのため、切替３３はパンツ内側に向けて凸となるように起立した形状となる。この形状により、スキニーパンツ１０の着用時には、脚の付け根部分の肉や脂肪が内側へ押されることとなり、その盛り上がりを抑制できる。しかも、切替３３は非伸縮性の縫製糸によって縫合されているため、切替３３の伸張が抑制され、内側へ凸となった形状が保持されやすくなっている。これにより、脚の付け根部分の肉や脂肪の盛り上がりを一層抑制できる。
【００３２】
なお、本発明は、上記実施形態のスキニーパンツ１０の構成に限られるものではなく、例えば次のような構成を採用してもよい。
【００３３】
（ａ）上記実施の形態では、前身頃２１，２２の内股側と後身頃２３，２４の内股側との間に第２内股下２５ｂ，２６ｂが設けられているが、図６（ａ）に縫合前の左側各部材が示されているように、第２内股下２５ｂ，２６ｂをなくした構成としてもよい。この場合、前身頃２１，２２の内股側と後身頃２３，２４の内股側とが縫合される。その上で、第２内股下２５ｂ，２６ｂが設けられた構成において裾側へ凹状をなすように形成された端縁２７ｂに代わり、前身頃２１，２２及び後身頃２３，２４には、両者が縫合されることによって裾側へ凹状をなすように形成される端縁２７ｂｘがそれぞれ形成されている。互いに逆側へ凹状をなす第１内股下２５ａ，２６ａの端縁２７ａと、上記端縁２７ｂｘとの両者を縫合することで切替３３が設けられる。この構成であっても、切替３３を形成する端縁２７ａ，２７ｂｘが凹状をなす分だけ除去されるため、生地の余裕を除去して贅肉の盛り上がりを抑制することができる。もっとも、前述したように、縫製処理の手間や縫製ライン３１，３２を見せることによって得られる美脚効果を考えると、内股下２５，２６を介在させた構成がより好ましい。
【００３４】
また、上記実施の形態では、前身頃２１，２２の内股側と後身頃２３，２４の内股側との間に第１内股下２５ａ，２６ａが設けられているが、図６（ｂ）に示されるように、第１内股下２５ａ，２６ａをなくした構成としてもよい。この場合も、第１内股下２５ａ，２６ａが設けられた構成において股ぐり１７側へ凹状をなすように形成された端縁２７ａに代わり、前身頃２１，２２及び後身頃２３，２４には、両者が縫合されることによって股ぐり１７側へ凹状をなすように形成される端縁２７ａｚがそれぞれ形成されている。当該端縁２７ａｚが第２内股下２５ｂ，２６ｂと縫合されることで切替３３が設けられる。この構成であっても贅肉の盛り上がりを抑制することができる。
【００３５】
（ｂ）上記実施の形態において、股上部１１が有する深さは普通タイプであるが、より浅く形成されたローライズタイプであったり、より深く形成されたタイプであったりしてもよい。また、図示されたスキニーパンツ１０はウエストベルト２７の幅が狭く形成されているが、幅広に形成されたものであってもよい。
【００３６】
（ｃ）上記実施の形態は、本発明のズボンがスキニーパンツ１０として具体化されているが、伸縮性素材が用いられないが身体の脚のフィットする細身の脚部１２を備えたズボンであってもよい。
【００３７】
（ｄ）上記実施の形態において、スキニーパンツ１０の丈は任意であり、ハーフ丈、７分丈、９分丈など自由に設定できる。丈の長さが任意であるのは、本発明のズボンを、他の種類のシルエット形状を有するズボンに適用した場合も同様である。
【００３８】
（ｅ）上記実施の形態では、各切替３３が股ぐり１７側に凸となるように形成されていたが、切替のラインは、縫製時における縫い代部分の倒し方によって、任意の形状に形成することができる。例えば、図７（ａ）に示されるように、各切替３３ｓが直線状に形成される構成であってもよいし、図７（ｂ）に示されるように、各切替３３ｙが第２内股下２５ｂ，２６ｂ側に凸となるように形成されてもよい。なお、股ぐり１７と直線状をなす切替３３ｓ又は第２内股下２５ｂ，２６ｂ側に凸となる切替３３ｙとの間の寸法は、１〜６ｃｍの範囲、特に１〜３ｃｍの範囲であることが好ましい。
【００３９】
（ｆ）上記実施の形態では、各切替３３が股ぐり１７を挟んで、１つずつ設けられていたが、股ぐり１７を挟んむ両側のうち少なくとも一方で切替３３が複数設けられる構成であってもよい。このとき、各切替３３同士の間隔は、１ｃｍから５ｃｍ程度であることが好ましい。
【符号の説明】
【００４０】
１０…スキニーパンツ（ズボン）、１２…脚部、２１，２２…前身頃、２３，２４…後身頃、２５，２６…内股下、２５ａ，２６ａ…第１内股下（第１内股部）、２５ｂ，２６ｂ…第２内股下（第２内股部）、２７ａ…端縁（第１端部），２７ｂ…端縁（第２端部）、３３…切替。
【図１】
2020180401.tif 000003
【図２】
2020180401.tif 000004
【図３】
2020180401.tif 000005
【図４】
2020180401.tif 000006
【図５】
2020180401.tif 000007
【図６】
2020180401.tif 000008
【図７】
2020180401.tif 000009